(57)【要約】  【課題】  後軸先方の縮径を防止するために、中駒を必須要件としており、その結果、部品の費用は勿論、部品点数の増加に伴う組み立て工数の増加により製品としての価格を著しく高騰化させてしまっていた。そこで、上記の公報には、中駒を無くしても良い旨の記載もなされているが、後軸と中軸との係合はなされるものの、相対的に振れが発生してしまっていた。即ち、筆記する際に中軸と後軸が多少屈折してしまい、違和感のある筆記作業になってしまっていた。  【解決手段】  少なくとも前軸と後軸から構成された軸筒であって、後軸に断面形状がほぼ扇形の脚部を形成すると共に、前記前軸には後軸の脚部が嵌合するその脚部とほぼ同形状の扇形の溝部を形成する一方、前記後軸の脚部を溝部の縮形方向に向かって押し付けるよう嵌合させた軸筒の連結構造。【選択図】  図２
2006281586.tif 000002
【特許請求の範囲】
【請求項１】
少なくとも前軸と後軸から構成された軸筒であって、後軸に断面形状がほぼ扇形の脚部を形成すると共に、前記前軸には後軸の脚部が嵌合するその脚部とほぼ同形状の扇形の溝部を形成する一方、前記後軸の脚部を溝部の縮形方向に向かって押し付けるよう嵌合させたことを特徴とする軸筒の連結構造。
【請求項２】
前記前軸の扇形の溝部の円弧部内面に突起を形成したことを特徴とする請求項１記載の軸筒の連結構造。
【請求項３】
前記後軸の脚部の円弧部外面に突起を形成すると共に、その突起を前軸の溝部の円弧部内面に食い込ませたことを特徴とする請求項１、或いは、請求項２に記載の軸筒の連結構造。
【発明の詳細な説明】
【技術分野】
【０００１】
本発明は、少なくとも前軸と後軸から構成された軸筒に関する。
【背景技術】
【０００２】
１例として、筆記体と連接した複数のノック部材の操作部を後軸後端部に至り設けたそれぞれの縦溝に突出させ、各ノック部材を軸先方に摺動させることにより選択的に筆記部を先軸の先端孔から突出係止させるようにした複式筆記具がある。その後軸には、縦溝前端位置で外周部に段部が形成されており、その前方の軸部に縦溝に連通してノック部材を摺動可能にガイドするスリット部が前端まで開口して設けられている。更に、軸部の前端外周には係合突起が形成されている一方、前端には先軸が設けられてなる中軸の後端に突片が設けられており、前記後軸が、その縦溝前方のスリット部を中軸に嵌装した状態で上記後軸の段部が中軸の後端に当接すると共に、中軸の突片が後軸の縦溝に係合し、更に後軸の軸部先方の縮径側の弾性変形によって係合突起が中軸の内孔に設けられた係合段部に係止して後軸が中軸に固定されている。そして、前記中軸の内孔には、各筆記体の挿通孔を有すると共に後方に胴部が形成された中駒が装着されており、その中駒の胴部が後軸のスリット部に嵌装することによって後軸先方の縮径が防止され、後軸が中軸に対し強固に固定されてなるようになっている。
【０００３】
【特許文献１】特開２００１−２２５５８８号公報。
【発明の開示】
【発明が解決しようとする課題】
【０００４】
しかし、上記の従来技術にあっては、後軸先方の縮径を防止するために、中駒を必須要件としており、その結果、部品の費用は勿論、部品点数の増加に伴う組み立て工数の増加により製品としての価格を著しく高騰化させてしまっていた。
そこで、上記の公報には、中駒を無くしても良い旨の記載もなされているが、後軸と中軸との係合はなされるものの、相対的に振れが発生してしまっていた。即ち、筆記する際に中軸と後軸が多少屈折してしまい、違和感のある筆記作業になってしまっていた。その原因としては、中軸と後軸の寸法バラツキによるものであるが、特に樹脂成形品においては、その時々の気温によって収縮率が異なり、それ故に前記の寸法バラツキも顕著となり、前述の中軸と後軸の振れも大きくなる。
【課題を解決するための手段】
【０００５】
本発明は、少なくとも前軸と後軸から構成された軸筒であって、後軸に断面形状がほぼ扇形の脚部を形成すると共に、前記前軸には後軸の脚部が嵌合するその脚部とほぼ同形状の扇形の溝部を形成する一方、前記後軸の脚部を溝部の縮形方向に向かって押し付けるよう嵌合させたことを要旨とする。
【発明の効果】
【０００６】
本発明は、少なくとも前軸と後軸から構成された軸筒であって、後軸に断面形状がほぼ扇形の脚部を形成すると共に、前記前軸には後軸の脚部が嵌合するその脚部とほぼ同形状の扇形の溝部を形成する一方、前記後軸の脚部を溝部の縮形方向に向かって押し付けるよう嵌合させたので、製品を高騰化させることなく、前軸と後軸の相対的な振れを極力防止することができる。
【発明を実施するための最良の形態】
【０００７】
図１〜図７に示し説明する。３色のボールペンが摺動自在に配置されている多芯筆記具である。ボールペンばかりではなく、シャープペンシルなどであっても良い。参照符号１は、軸本体であり、その軸本体１は、前軸２と後軸３とより構成されている。また、本例において、前軸２は、先部材４と中軸５の螺合構造により構成されているが、一体的に形成されていても良い。
【０００８】
前記後軸３には、その長手方向に３個のスリット６が形成されている。本例においては、３個のスリット６が形成されているが、筆記体であるボールペンの数が３本であるためであり、この筆記体の本数によってスリットの形成する数も変わるものである。また、スリット６は、後軸３の一方の端部まで形成されていると共に、スリット６の両側には、摺動溝７が形成されている。しかし、この摺動溝７は、スリット６の両側の全長に渡って形成されているのではなく、中間部までしか形成されていない。
前記後軸３の前方には断面の形状が外径方向に向かって拡開するほぼ扇形をした脚部８が形成されている。この脚部８は、スリット６が形成されることにより形成される。よって、筆記体の数によって脚部８の数は変わる。参照符号９は、後軸３の側面に形成されたクリップ部である。また、参照符号１０は各脚部８の中間部に形成された円弧状のリブであり、後軸３を中軸５に組み付けた際の、その後軸３と中軸５との振れを防止するためのリブとなっている。その円弧状のリブ１０は、脚部８の円周方向に形成されており、その円弧状のリブ１０の前端部には傾斜面１０ａが形成されているが、後端部は直角に切り落とされた段部１０ｂとなっている。後述する中軸５の円弧状リブ１０ａを乗り越え易くすると共に、乗り越えた後には抜けにくい構成としているのである。尚、円弧状のリブ１０の後方には、縦リブ８ａが形成されており、この縦リブ８ａによっても後軸３と中軸５との振れが防止されている。
【０００９】
前記後軸３のスリット６には、スライダー１１が摺動自在に配置されている。このスライダー１１の長手方向の両側には、摺動突起１２が形成されており、前記スリット６に形成された摺動溝７に摺動可能に係合している。このスライダー１１の背面には、間隔をおいて２つの解除突起１３、１４が形成されており、スライダー１１の前端部には、筆記体を接続する球状の接続部１５が形成されている。そして、この接続部１５には、ボールペンやシャープペンシルなどの筆記体１６が接続されている。参照符号１７は、筆記体１６並びに筆記体１６に接続するスライダー１１を後方に付勢するコイルスプリングなどの弾撥部材である。
【００１０】
前記前軸２の１部材である中軸５の中間部には、規制部１８が形成されており、その規制部１８には、筆記体１６が遊挿する３つの貫通孔１９と、規制部１８の外縁部付近に後述する溝部２０と同一直線上にほぼ四角形状の貫通孔１９ａが形成されている。この規制部１８に弾撥部材１７の一端を係止させることにより、筆記体１６を後方に付勢しているものである。また、中軸５の内側で、規制部１８の後方には、長手方向に３つの溝部２０が形成されており、この溝部２０に前記後軸の３の脚部８が摺接され、組み立て時に脚部８が案内されるようになっている。また、その溝部２０は、脚部８の断面形状とほぼ同形をなしている。即ち、外径方向に向かって拡開する扇形を形成している。そして、さらに、その溝部２０の円弧部内面には円弧に沿って円弧リブ２０ａが形成されている。つまり、この円弧リブ２０によって後軸３の脚部８が溝部２０の縮径方向に向かって押し付けられ、このとき楔効果が発生し、その楔効果によって脚部８が溝部２０に強固に固定されるのである。即ち、後軸３が中軸５に強固に固定され、径方向、並びに、円周方向の振れが防止されるのである。
前記３つの溝部２０の間であって、且つ、前記貫通孔１９ａの上方には、突起２１が形成されている。その突起２１の後部には、中心方向に向けて前方に傾斜する傾斜面２１ａが形成されている。前記後軸３を中軸５に組み付けた際、この突起２１に後軸３の脚部８に設けた凹状の係合部３ａが係合するものである。尚、後軸３の脚部８の係合部３ａの近傍は、溝部２０に摺接されておらず、そのため、係合部３ａが突起２１を乗り越える際、前記細径部８ｂの前端傾斜面が突起２１の傾斜面２１ａに当接し、その細径部８ｂが傾斜面２１ａに沿って縮径側にたわみ、乗り越えた後は脚部８の弾性復元力によって元の位置へ戻り突起２１と係合する。つまり凹状の係合部３ａに突起２１が嵌り込み後軸３と前軸５が連結・固定されるのである。
尚、前記突起２１の内径側における高さは、貫通孔１９ａの内径を超えないものとなっている。即ち、前軸５を射出成形などの手段によって成形する際、前軸の前方中空部を形成するコアピンと後部中空部を形成するコアピンによって容易に成形し得るようにしているのである。ちなみに、突起２１の高さが貫通孔１９ａの内形を超えてしまうと、規制部１８と突起２１との間にアンダーカットが形成され、実質的に成形が不可能になってしまう。
【００１１】
前記前軸２の１部材である先部材４は、前記中軸５に対して螺合により着脱自在に固定されている。この先部材４と中軸５とを一体的に形成しても良いが、筆記体１６の交換や成形の容易性を考慮すると２部材とし、着脱自在に固定した方が良い。
次に作用について説明する。後軸３を中軸５に組み付ける際、脚部８を溝部２０に挿着するが、この挿着過程で突起１０が円弧リブ２０ａを乗り越える。このとき、円弧リブ２０ａと突起１０との係合により、後軸３の中軸５に対する抜け出しが防止されると共に、円弧リブ２０ａによって脚部８が溝部２０の縮径方向に押し付けられ、その結果、楔作用が発生し、脚部８と溝部２０が強固に固定される。即ち、後軸３が中軸５に強硬に固定され、径方向、並びに、円周方向の振れが防止されるのである。
尚、本例においては、後軸３の脚部８を中軸５の溝部２０に押し付ける例として、溝部２０の円弧面に円弧リブ２０ａを形成したが、脚部８を上方に向けて扇形状を維持しつつ徐々に大形としたり、或いは、溝部２０を下方に向けて徐々に細形にするなどしても良い。
【００１２】
次に動作について説明する。特定のスライダー１１を前方（図中下方）に押圧すると、スライダー１１は、スリット６並びに摺動溝７に案内されながら、筆記体１６を伴い前進し、筆記体１６の先端が軸本体１の先端より突出する。と、同時に、スライダー１１が軸筒本体１の内側に押し込まれ、次いで、スライダー１１の側面部に形成されている摺動突起１２の後端が、摺動溝７の前端部に係合し、筆記体１６の後退作用を阻止する。つまり、この摺動溝７をスリット６の中間部までしか形成しないことにより、スライダー１１の係合をも兼ねるようになっている。
次に、筆記体１６を軸本体１に収納したい場合には、他のスライダー１１を押圧する。他のスライダー１１を押圧すると、互いのスライダー１１の背面に形成されている解除突起１３、１４が衝突する。この衝突作用により、押圧されている状態にあるスライダー１１が軸筒本体１の外側方向に押圧される。そして、この押圧作用により、前記スライダー１１の摺動突起と摺動溝７との係合が解除され、その解除作用により突出している状態にある筆記体１６が弾撥部材１７の作用により後退し軸本体１内に没入する。
【図面の簡単な説明】
【００１３】
【図１】本発明の１例を示す外観斜視図。
【図２】図１の縦断面図。
【図３】図１の側面縦断面図。
【図４】後軸を示す外観斜視図。
【図５】図３のＡ−Ａ線断面図。
【図６】図２の要部拡大図。
【図７】図３のＢ−Ｂ線断面図。
【図８】図３のＣ−Ｃ線断面図。
【符号の説明】
【００１４】
１      軸本体
２      前軸
３      後軸
４      先部材
５      中軸
６      スリット
７      摺動溝
８      脚部
９      クリップ
１０    リブ
１０ａ  傾斜面
１０ｂ  段部
１１    スライダー
１２    摺動突起
１３    解除突起
１４    解除突起
１５    接続部
１６    筆記体
１７    弾撥部材
１８    規制部
１９    貫通孔
２０    溝部
２０ａ  円弧リブ
２１    突起
【図１】
2006281586.tif 000003
【図２】
2006281586.tif 000004
【図３】
2006281586.tif 000005
【図４】
2006281586.tif 000006
【図５】
2006281586.tif 000007
【図６】
2006281586.tif 000008
【図７】
2006281586.tif 000009
【図８】
2006281586.tif 000010